(57)【要約】      （修正有）【課題】ワイヤレス通信ネットワークの性能を改善することができるワイヤレス通信デバイス、ネットワークノード及び方法を提供する。【解決手段】ワイヤレス通信デバイスは、ワイヤレス通信ネットワークの無線ノードへデータを送信する。無線ノードからの上記データの肯定確認応答又は否定確認応答についてモニタリングし、否定確認応答の受信を指し示す場合に上記データを再送する。肯定確認応答の受信を指し示す場合に上記データの再送を差し控える。肯定確認応答の受信も否定確認応答の受信も指し示さない場合にも上記データの再送を差し控える。【選択図】図１０
2020188465.tif 000002
【特許請求の範囲】
【請求項１】
ワイヤレス通信デバイス（１０）により実装される方法であって、
ワイヤレス通信ネットワーク（１）の無線ノード（１２）へデータを送信すること（１００１）と、
前記無線ノード（１２）からの前記データの肯定確認応答又は否定確認応答についてモニタリングすること（１００２）と、
前記モニタリング（１００２）が前記データの否定確認応答の受信を指し示す場合に、前記無線ノード（１２）へ前記データを再送すること（１００３）と、
前記モニタリング（１００２）が前記データの肯定確認応答の受信を指し示す場合に、前記無線ノード（１２）への前記データの再送を差し控えること（１００４）と、
前記モニタリング（１００２）が前記データの肯定確認応答の受信も前記データの否定確認応答の受信も指し示さない場合に、前記無線ノード（１２）への前記データの再送を差し控えること（１００５）と、
を含む方法。
【請求項２】
前記送信すること（１００１）は、未ライセンススペクトル上で又は非同期プロトコル上で前記無線ノードへ前記データを送信すること、を含む、請求項１の方法。
【請求項３】
前記モニタリング（１００２）が前記データの肯定確認応答の受信も前記データの否定確認応答の受信も指し示さない場合に前記無線ノード（１２）への前記データの再送を差し控えること（１００５）は、前記データの否定確認応答又は異なるデータを送信するためのグラントが前記ワイヤレス通信デバイス（１０）により受信されるまで行われる、請求項１〜２のいずれかの方法。
【請求項４】
前記モニタリング（１００２）が前記データの肯定確認応答の受信も前記データの否定確認応答の受信も指し示さない場合に前記無線ノード（１２）への前記データの再送を差し控えること（１００５）は、１つ以上の条件が充足される場合に行われる、請求項１〜３のいずれかの方法。
【請求項５】
前記モニタリング（１００２）が前記データの肯定確認応答の受信も前記データの否定確認応答の受信も指し示さない場合に前記無線ノードへの前記データの再送を差し控えること（１００５）は、前記データが未ライセンススペクトル上で送信された場合に行われる、請求項１〜４のいずれかの方法。
【請求項６】
前記モニタリング（１００２）が前記データの肯定確認応答の受信も前記データの否定確認応答の受信も指し示さない場合に前記無線ノードへの前記データの再送を差し控えること（１００５）は、前記データが第１のタイプの無線アクセス上で送信された場合に行われる、請求項１〜５のいずれかの方法。
【請求項７】
前記モニタリング（１００２）が前記データの肯定確認応答の受信も前記データの否定確認応答の受信も指し示さない場合に前記無線ノードへの前記データの再送を差し控えること（１００５）は、前記データが第１のタイプである場合に行われる、請求項１〜６のいずれかの方法。
【請求項８】
前記第１のタイプのデータは、より低いサービス品質分類を有し、又は第２のタイプのデータよりも遅延感受性が低く、前記無線ノード（１２）への前記データの再送を差し控えること（１００５）は、前記データが前記第１のタイプとは異なる前記第２のタイプである場合には行われない、請求項７の方法。
【請求項９】
データの前記無線ノード（１２）への前記送信について肯定確認応答も否定確認応答も受信しない場合に前記ワイヤレス通信デバイス（１０）が当該データの再送を差し控えるべきであることを指し示すネットワークノード（１２，１５）からのシグナリングを受信すること（１０００）、をさらに含み、
前記モニタリング（１００２）が前記データの肯定確認応答の受信も前記データの否定確認応答の受信も指し示さない場合に前記無線ノード（１２）への前記データの再送を差し控えること（１００５）は、受信される前記シグナリングに従って行われる、請求項１〜８のいずれかの方法。
【請求項１０】
前記無線ノード（１２）は、前記ワイヤレス通信デバイス（１０）へ送信される前記データの前記肯定確認応答又は前記否定確認応答を送信する前に、前記肯定確認応答又は前記否定確認応答が送信されるべきキャリアが前記無線ノード（１２）により占有されなければならない場合に、ＬＢＴ（Listen  Before  Talk）手続を行う、ように構成される、請求項１〜９のいずれかの方法。
【請求項１１】
前記データの前記肯定確認応答又は前記否定確認応答は、ＰＨＩＣＨ（Physical  Hybrid  Automatic  Repeat  Request  Indicator  Channel）上で伝達される、請求項１〜１０のいずれかの方法。
【請求項１２】
ワイヤレス通信ネットワーク（１）内のネットワークノード（１５）により実装される方法であって、
ワイヤレス通信デバイス（１０）が無線ノード（１２）からデータについて肯定確認応答も否定確認応答も受信しない場合に前記ワイヤレス通信デバイスが当該データの再送を差し控えるべきであることを指し示すシグナリングを、前記ワイヤレス通信デバイス（１０）へ送信すること（１１０３）、
を含む方法。
【請求項１３】
前記ワイヤレス通信デバイス（１０）が前記無線ノード（１２）からデータについて肯定確認応答も否定確認応答も受信しない場合に前記ワイヤレス通信デバイス（１０）が当該データの再送を差し控えるべきであることを指し示す前記シグナリングを生成すること（１１０２）、をさらに含む、請求項１２の方法。
【請求項１４】
前記無線ノード（１２）は、前記ワイヤレス通信デバイス（１０）へ前記データの前記肯定確認応答又は前記否定確認応答を送信する前に、前記肯定確認応答又は前記否定確認応答が送信されるべきキャリアが前記無線ノード（１２）により占有されなければならない場合に、ＬＢＴ（Listen  Before  Talk）手続を行う、ように構成される、請求項１２〜１３のいずれかの方法。
【請求項１５】
前記ワイヤレス通信デバイスがデータの前記送信について肯定確認応答も否定確認応答も受信しない場合に前記ワイヤレス通信デバイス（１０）が当該データの再送を差し控えるべきであることを判定すること（１１０１）、をさらに含む、請求項１２〜１４のいずれかの方法。
【請求項１６】
前記ワイヤレス通信ネットワーク（１）内で蓄積される統計に基づいて前記判定を行うこと、を含む、請求項１５の方法。
【請求項１７】
前記ワイヤレス通信デバイス、前記ネットワークノード、及び／又は、前記ワイヤレス通信デバイス（１０）による前記データの送信先である前記無線ノードでの干渉条件に基づいて、前記判定を行うこと、を含む、請求項１５の方法。
【請求項１８】
前記データの前記肯定確認応答又は前記否定確認応答は、ＰＨＩＣＨ（Physical  Hybrid  Automatic  Repeat  Request  Indicator  Channel）上で伝達される、請求項１２〜１７のいずれかに記載の方法。
【請求項１９】
ワイヤレス通信ネットワーク（１）の無線ノード（１２）へデータを送信し、  前記無線ノード（１２）からの前記データの肯定確認応答又は否定確認応答についてモニタリングする、  ように構成されるワイヤレス通信デバイス（１０）であって、
前記ワイヤレス通信デバイス（１０）は、前記モニタリングにおいて前記データの否定確認応答の受信が指し示される場合に、前記無線ノード（１２）へ前記データを再送する、ようにさらに構成され、
前記ワイヤレス通信デバイス（１０）は、前記モニタリングにおいて前記データの肯定確認応答の受信が指し示される場合に、前記無線ノード（１２）への前記データの再送を差し控える、ようにさらに構成され、
前記ワイヤレス通信デバイス（１０）は、前記モニタリングにおいて前記データの肯定確認応答の受信も前記データの否定確認応答の受信も指し示されない場合に、前記無線ノード（１２）への前記データの再送を差し控える、ようにさらに構成される、ワイヤレス通信デバイス（１０）。
【請求項２０】
未ライセンススペクトル上で又は非同期プロトコル上で前記無線ノードへ前記データを送信する、ように構成される、請求項１９のワイヤレス通信デバイス（１０）。
【請求項２１】
前記モニタリングが前記データの肯定確認応答の受信も前記データの否定確認応答の受信も指し示さない場合に、前記ワイヤレス通信デバイス（１０）における、前記データの否定確認応答の受信、又は異なるデータを送信するためのグラントの受信まで、前記無線ノード（１２）への前記データの再送を差し控える、ように構成される、請求項１９〜２０のいずれかのワイヤレス通信デバイス（１０）。
【請求項２２】
前記モニタリングが前記データの肯定確認応答の受信も前記データの否定確認応答の受信も指し示さない場合おいて、１つ以上の条件が充足されるときに、前記無線ノード（１２）への前記データの再送を差し控える、ように構成される、請求項１９〜２１のいずれかのワイヤレス通信デバイス（１０）。
【請求項２３】
前記ワイヤレス通信デバイス（１０）は、前記モニタリングが前記データの肯定確認応答の受信も前記データの否定確認応答の受信も指し示さない場合において、前記データが未ライセンススペクトル上で送信されたときに、前記無線ノード（１２）への前記データの再送を差し控える、ように構成される、請求項１９〜２２のいずれかのワイヤレス通信デバイス（１０）。
【請求項２４】
前記ワイヤレス通信デバイス（１０）は、前記モニタリングが前記データの肯定確認応答の受信も前記データの否定確認応答の受信も指し示さない場合において、前記データが第１のタイプの無線アクセス上で送信されたときに、前記無線ノード（１２）への前記データの再送を差し控える、ように構成される、請求項１９〜２３のいずれかのワイヤレス通信デバイス（１０）。
【請求項２５】
前記ワイヤレス通信デバイス（１０）は、前記モニタリングが前記データの肯定確認応答の受信も前記データの否定確認応答の受信も指し示さない場合において、前記データが第１のタイプであるときに、前記無線ノード（１２）への前記データの再送を差し控える、ように構成される、請求項１９〜２４のいずれかのワイヤレス通信デバイス（１０）。
【請求項２６】
前記第１のタイプのデータは、より低いサービス品質分類を有し、又は第２のタイプのデータよりも遅延感受性が低く、前記ワイヤレス通信デバイス（１０）は、前記データが前記第１のタイプとは異なる前記第２のタイプである場合には、前記無線ノード（１２）への前記データの再送を差し控えない、ように構成される、請求項２５のワイヤレス通信デバイス（１０）。
【請求項２７】
データの前記無線ノード（１２）への前記送信について肯定確認応答も否定確認応答も受信しない場合に前記ワイヤレス通信デバイス（１０）が当該データの再送を差し控えるべきであることを指し示すネットワークノード（１２，１５）からのシグナリングを受信する、ように構成され、
前記モニタリングが前記データの肯定確認応答の受信も前記データの否定確認応答の受信も指し示さない場合に、受信される前記シグナリングに従って、前記無線ノード（１２）への前記データの再送を差し控える、ように構成される、請求項１９〜２６のいずれかのワイヤレス通信デバイス（１０）。
【請求項２８】
前記無線ノード（１２）は、前記ワイヤレス通信デバイス（１０）へ送信される前記データの前記肯定確認応答又は前記否定確認応答を送信する前に、前記肯定確認応答又は前記否定確認応答が送信されるべきキャリアが前記無線ノード（１２）により占有されなければならない場合に、ＬＢＴ（Listen  Before  Talk）手続を行う、ように構成される、請求項１９〜２７のいずれかのワイヤレス通信デバイス（１０）。
【請求項２９】
前記データの前記肯定確認応答又は前記否定確認応答は、ＰＨＩＣＨ（Physical  Hybrid  Automatic  Repeat  Request  Indicator  Channel）上で伝達される、請求項１９〜２８のいずれかのワイヤレス通信デバイス（１０）。
【請求項３０】
ワイヤレス通信ネットワーク（１）のためのネットワークノード（１５）であって、ワイヤレス通信デバイス（１０）が無線ノード（１２）からデータについて肯定確認応答も否定確認応答も受信しない場合に前記ワイヤレス通信デバイスが当該データの再送を差し控えるべきであることを指し示すシグナリングを、前記ワイヤレス通信デバイス（１０）へ送信する、ように構成されるネットワークノード（１５）。
【請求項３１】
前記ワイヤレス通信デバイス（１０）が前記無線ノード（１２）からデータについて肯定確認応答も否定確認応答も受信しない場合に前記ワイヤレス通信デバイス（１０）が当該データの再送を差し控えるべきであることを指し示す前記シグナリングを生成する、ようにさらに構成される、請求項３０のネットワークノード（１５）。
【請求項３２】
前記無線ノード（１２）は、前記ワイヤレス通信デバイス（１０）へ前記データの前記肯定確認応答又は前記否定確認応答を送信する前に、前記肯定確認応答又は前記否定確認応答が送信されるべきキャリアが前記無線ノード（１２）により占有されなければならない場合に、ＬＢＴ（Listen  Before  Talk）手続を行う、ように構成される、請求項３０〜３１のいずれかのネットワークノード（１５）。
【請求項３３】
前記ワイヤレス通信デバイスが前記無線ノード（１２）へのデータの前記送信について肯定確認応答も否定確認応答も受信しない場合に前記ワイヤレス通信デバイス（１０）が当該データの再送を差し控えるべきであることを判定する、ようにさらに構成される、請求項３０〜３２のいずれかのネットワークノード（１５）。
【請求項３４】
前記ワイヤレス通信ネットワーク（１）内で蓄積される統計に基づいて前記判定を行う、ようにさらに構成される、請求項３３のネットワークノード（１５）。
【請求項３５】
前記ワイヤレス通信デバイス、前記ネットワークノード、及び／又は、前記ワイヤレス通信デバイス（１０）による前記データの送信先である前記無線ノードでの干渉条件に基づいて、前記判定を行う、ようにさらに構成される、請求項３３のネットワークノード（１５）。
【請求項３６】
前記データの前記肯定確認応答又は前記否定確認応答は、ＰＨＩＣＨ（Physical  Hybrid  Automatic  Repeat  Request  Indicator  Channel）上で伝達される、請求項３０〜３５のいずれかのネットワークノード（１５）。
【請求項３７】
少なくとも１つのプロセッサにより実行される場合に、前記プロセッサに、前記ワイヤレス通信デバイス（１０）又は前記ネットワークノード（１５）により行われる請求項１〜１８のいずれかの方法を遂行させる命令、を含むコンピュータプログラム。
【請求項３８】
電子信号、光信号、無線信号、又はコンピュータ読取可能な記憶媒体、のうちの１つでる、請求項３７のコンピュータプログラムを収容する担体。 
【発明の詳細な説明】
【技術分野】
【０００１】
ここでの実施形態は、ワイヤレス通信デバイス、ネットワークノード、並びに、ワイヤレス通信ネットワーク内でワイヤレス通信デバイス及びネットワークノードにより実行される方法に関する。具体的には、ここでの実施形態は、ワイヤレス通信ネットワークにおけるワイヤレス通信デバイスから無線ノードへのデータ送信の扱いに関する。
【背景技術】
【０００２】
典型的な通信ネットワークにおいて、ワイヤレスデバイス、移動局、ステーション（ＳＴＡ）及び／又はユーザ機器（ＵＥ）としても知られるワイヤレス通信デバイスは、１つ以上のコアネットワークへ無線アクセスネットワーク（ＲＡＮ）を介して通信する。ＲＡＮは、複数のサービスエリア又はセルエリアへ分割される地理的エリアをカバーし、各サービスエリア又はセルエリアは、例えばＷｉ−Ｆｉアクセスポイント（ＡＰ）又は基地局（ＢＳ）といった無線アクセスノードなどの、無線ノードによりサービスされる。基地局は、いくつかのネットワークでは、例えば“ＮｏｄｅＢ”又は“ｅＮｏｄｅＢ”としても言及され得る。上記エリア又はセルエリアは、無線ノードにより無線カバレッジが提供される地理的エリアである。無線ノードは、当該無線ノードのレンジ内のワイヤレス通信デバイスと、無線周波数上で動作するエアインタフェースを介して通信する。
【０００３】
ＵＭＴＳ（Universal  Mobile  Telecommunications  System）は、第３世代通信ネットワークであり、当該ネットワークは、第２世代（２Ｇ）のＧＳＭ（Global  System  for  Mobile  Communications）から進化した。ＵＴＲＡＮ（UMTS  terrestrial  radio  access  network）は、本質的に、ユーザ機器について広帯域符号分割多重アクセス（ＷＣＤＭＡ（登録商標））及び／又は高速パケットアクセス（ＨＳＰＡ）を用いるＲＡＮである。３ＧＰＰ（3rd  Generation  Partnership  Project）として知られるフォーラムにおいて、通信サプライヤは、第３世代ネットワークについて標準を提案し及び合意し、並びに、強化されたデータレート及び無線キャパシティを探求している。いくつかのＲＡＮにおいて、例えばＵＭＴＳにおける場合のように、複数の無線ノードが、例えば地上回線又はマイクロ波によって無線ネットワークコントローラ（ＲＮＣ）又は基地局コントローラ（ＢＳＣ）といったコントローラノードへ接続され得る。コントローラノードは、当該コントローラノードへ接続される複数の無線ノードの多様なアクティビティを監督し及び協調させる。このタイプの接続をバックホール接続ということがある。ＲＮＣは、典型的には、１つ以上のコアネットワークへ接続される。
【０００４】
第４世代（４Ｇ）ネットワークとしても知られるＥＰＳ（Evolved  Packet  System）についての仕様は、３ＧＰＰ（3rd  Generation  Partnership  Project）内で完了済みであり、その作業は、例えば第５世代（５Ｇ）ネットワークを仕様化するために今後の３ＧＰＰリリースにおいて継続される。ＥＰＳは、ＬＴＥ（Long  Term  Evolution）ネットワークの無線アクセスネットワークとしても知られるＥ−ＵＴＲＡＮ（Evolved  Universal  Terrestrial  Radio  Access  Network）と、ＳＡＥ（System  Architecture  Evolution）コアネットワークとしても知られるＥＰＣ（Evolved  Packet  Core）とを含む。Ｅ−ＵＴＲＡＮ／ＬＴＥは、無線ノードがＲＮＣではなくＥＰＣコアネットワークへ直接的に接続される３ＧＰＰ無線アクセスネットワークである。概して、Ｅ−ＵＴＲＡＮ／ＬＴＥにおいて、ＲＮＣの機能は、例えばＬＴＥにおけるｅＮｏｄｅＢといった無線ノードと、コアネットワークとの間で分散される。そのため、ＥＰＳのＲＡＮは、本質的には、１つ以上のコアネットワークへ直接的に接続される複数の無線ノードを含む、“フラット”なアーキテクチャを有し、即ちそれらはＲＮＣへ接続されない。それを補償するために、Ｅ−ＵＴＲＡＮ仕様は、無線ノード間のダイレクトインタフェースを定義しており、そのインタフェースをＸ２インタフェースと称する。
【０００５】
進行中の３ＧＰＰリリース１３の作業項目““Licensed-Assisted  Access”（ＬＡＡ）は、ＬＴＥ機器が未ライセンスの５ＧＨｚ無線スペクトルにおいても動作することを可能とすることを意図している。未ライセンスの５ＧＨｚスペクトルは、ライセンス済みスペクトルを補うものとして使用される。従って、ワイヤレス通信デバイスは、プライマリセルあるいはＰＣｅｌｌを介してライセンス済みスペクトルで接続を行い、及び、セカンダリセルあるいはＳＣｅｌｌを介して未ライセンススペクトルでの追加的な送信キャパシティの恩恵を受けるためにキャリアアグリゲーションを使用する。ライセンス済みのスペクトル及び未ライセンスのスペクトルを統合するために要する変化を低減するために、プライマリセルにおけるＬＴＥフレームタイミングがセカンダリセルにおいて同時に使用される。
【０００６】
しかしながら、規制要件（regulatory  requirements）が、事前のチャネルセンシング無く未ライセンスのスペクトルにおいて送信を行うことを許可しないかもしれない。未ライセンスのスペクトルは、類似の又は被類似のワイヤレス技術の他の無線機と共有されなければならないことから、いわゆるＬＢＴ（listen-before-talk）方式が適用される必要がある。ＬＢＴは、予め定義される最小限の時間にわたって媒体をセンシングすること、及びチャネルがビジーであればバックオフを行うことを包含する。今日、未ライセンスの５ＧＨｚスペクトルは、ＩＥＥＥ８０２．１１  ＷＬＡＮ（Wireless  Local  Area  Network）標準を実装する機器により主として使用されている。この標準は、そのマーケティングブランド“Ｗｉ−Ｆｉ”の下で知られている。
【０００７】
ＬＢＴ手続に起因して、ＬＡＡ  ＳＣｅｌｌ又はＬＡＡ  ＵＥが送信することを許可される最初のスロットを前もって予測することはできない。これは、現在ではいくつものパラメータがデータが送信されるスロットの番号に依存することから、データペイロートの事前計算を困難にする。
【０００８】
＜ＬＴＥ（Long  Term  Evolution）＞
ＬＴＥは、ダウンリンクにおいて直交周波数分割多重（ＯＦＤＭ）を、アップリンクにおいてシングルキャリア（ＳＣ）−周波数分割多重アクセス（ＦＤＭＡ）ともいう離散フーリエ変換（ＤＦＴ）拡散ＯＦＤＭを使用する。基本的なＬＴＥのダウンリンク物理リソースを、よって、図１に示したような時間−周波数グリッドとして見ることができ、各リソースエレメントは１つのＯＦＤＭシンボルインターバルの期間中の１つのＯＦＤＭサブキャリアに相当する。アップリンクサブキャリアは、ダウンリンクサブフレームと同じサブキャリア間隔を有し、ダウンリンクサブフレーム内のＯＦＤＭシンボルの数と同じ数のＳＣ−ＦＤＭＡシンボルを時間ドメインにおいて有する。
【０００９】
時間ドメインにおいて、ＬＴＥのダウンリンク送信は、１０ｍｓの無線フレームへと編成され、各無線フレームは、図２に示したように、長さＴsubframe＝１ｍｓで等サイズの１０個のサブフレームからなる。各サブフレームは、各々０．５ｍｓの時間長の２つのスロットを含み、フレーム内のスロットの付番は０から１９までの範囲をとる。通常のサイクリックプレフィクスについて、１つのサブフレームは１４個のＯＦＤＭシンボルからなる。各シンボルの時間長は、おおよそ７１．４μｓである。
【００１０】
さらに、ＬＴＥにおけるリソース割り当ては、典型的にはリソースブロックの観点で記述され、１リソースブロックは、時間ドメインにおける１スロット（０．５ｍｓ）及び周波数ドメインにおける１２個の連続したサブキャリアに相当する。時間ドメインにおける２つの連続するリソースブロックのペア（１．０ｍｓ）は、リソースブロックペアとして知られている。リソースブロックは、周波数ドメインにおいて、システム帯域幅の一端から０で始まる形で付番される。
【００１１】
ダウンリンク送信は動的にスケジューリングされ、即ち、各サブフレームにおいて、基地局は、その時点のダウンリンクサブフレームにおいてどの端末がデータの送信先であり及びどのリソースブロック上でデータが送信されるかに関する制御情報を送信する。この制御シグナリングは、典型的には、各サブフレーム内の最初から１、２、３又は４個のＯＦＤＭシンボルにおいて送信され、ｎ＝１、２、３又は４は制御フォーマットインジケータ（ＣＦＩ）として知られている。ダウンリンクサブフレームは、共通リファレンスシンボルをも含み、共通リファレンスシンボルは、受信機にとって既知であって、例えば制御情報の復調などのコヒーレント復調のために使用される。制御としてＣＦＩ＝３ＯＦＤＭシンボルであるダウンリンクシステムが図３に例示されている。
【００１２】
ＬＴＥリリース１１以降より、上述したリソース割り当てを、ＥＰＤＣＣＨ（enhanced  Physical  Downlink  Control  Channel：拡張型物理下り制御チャネル）上でスケジューリングすることもできる。リリース８〜リリース１０については、ＰＤＣＣＨ（Physical  Downlink  Control  Channel：物理下り制御チャネル）のみが利用可能である。
【００１３】
図３に示したリファレンスシンボルは、精細な時間及び周波数同期、並びにある送信モードについてのチャネル推定、を含む複数の機能をサポートするために使用されるセル固有リファレンスシンボル（ＣＲＳ）である。
【００１４】
ダウンリンク（ＤＬ）又はアップリンク（ＵＬ）のいずれかについての物理共有チャネル上のベースバンド送信信号の生成は、概して、スクランブリング、変調マッピング、レイヤマッピング、プリコーディング及びＲＥマッピングを含む。ＵＬのＰＵＳＣＨ（Physical  Uplink  Shared  Channel）についての固有のベースバンドチェーンが、一例として図４に示されている。ＰＵＳＣＨのスクランブリングについては、各サブフレームの開始時のスクランブリングシーケンス生成器の初期化は、その時点のスロット番号ｎｓに依存する。これは、ＤＬ上のＰＤＳＣＨ（Physical  Downlink  Shared  Channel）のスクランブリングについてもその通りである。
【００１５】
＜キャリアアグリゲーション＞
ＬＴＥリリース１０標準は、２０ＭＨｚよりも大きな帯域幅をサポートする。ＬＴＥリリース１０に関する１つの重要な要件は、ＬＴＥリリース８との後方互換性を確保することである。これは、スペクトル互換性をも含むべきである。このことは、２０ＭＨｚよりも広いＬＴＥリリース１０キャリアが、ＬＴＥリリース８ワイヤレス通信デバイスにとって複数個のＬＴＥキャリアとして見えるべきであることを示唆するはずである。そうした各キャリアを、コンポーネントキャリア（ＣＣ）ということができる。具体的には、早期のＬＴＥリリース１０配備について、予期し得ることとして、多くのＬＴＥレガシーワイヤレス通信デバイスと比較して、ＬＴＥリリース１０対応型のワイヤレス通信デバイスはより少ない数だけ存在するであろう。従って、レガシーワイヤレス通信デバイスについても、幅の広いキャリアの効率的な使用を確保すること、即ち、レガシーワイヤレス通信デバイスを広帯域ＬＴＥリリース１０キャリアの全ての部分においてスケジューリングすることの可能なキャリアを実装できることを確保することが必要である。これを獲得するための端的な手法がキャリアアグリゲーション（ＣＡ）という手段によるものであり、ＣＡは、ＬＴＥリリース１０ワイヤレス通信デバイスが複数のＣＣを受信できることを示唆し、ここでＣＣは、ＬＴＥリリース８キャリアと同じ構造を有するか又は同じ構造を有する可能性を少なくとも有する。ＣＡは、図５に例示されている。ＣＡ対応型のワイヤレス通信デバイスには、常にアクティブ化されているプライマリセル（ＰＣｅｌｌ）と、動的にアクティブ化され又は非アクティブ化され得る１つ以上のセカンダリセル（ＳＣｅｌｌ）と、が割り当てられる。
【００１６】
アグリゲートされるＣＣの数と共に個々のＣＣの帯域幅は、アップリンクとダウンリンクとで異なってよい。対称構成とは、ダウンリンク及びアップリンクにおけるＣＣの数が同じであるケースを指し、一方で、非対称構成とは、ダウンリンク及びアップリンクにおけるＣＣの数が異なるケースを指す。セル内で構成されるＣＣの数が、ワイヤレス通信デバイスから見えるＣＣの数とは異なってもよいことに留意することが重要である。セルが同数のアップリンクＣＣ及びダウンリンクＣＣで構成される場合でさえも、ワイヤレス通信デバイスは、例えば、アップリンクＣＣよりも多くのダウンリンクＣＣをサポートしてよい。
【００１７】
加えて、キャリアアグリゲーションの鍵となる特徴は、クロスキャリアスケジューリングを実行する能力である。この仕組みは、１つのＣＣ上の（Ｅ）ＰＤＣＣＨが、（Ｅ）ＰＤＣＣＨメッセージの冒頭に挿入される３ビットのキャリアインジケータフィールド（ＣＩＦ）の手段によって、他のＣＣ上のデータ送信をスケジューリングすることを可能にする。所与のＣＣ上のデータ送信のために、ワイヤレス通信デバイスは、ただ１つのＣＣ上の（Ｅ）ＰＤＣＣＨ上のスケジューリングメッセージを受信することを予期し、ただ１つのＣＣとは、同じＣＣであるか又はクロスキャリアスケジューリングを介して異なるＣＣであるかのいずれかである。（Ｅ）ＰＤＣＣＨからＰＤＳＣＨへのこのマッピングもまた、準静的に構成される。
【００１８】
＜ＬＴＥを用いた未ライセンススペクトルへのライセンス支援型アクセス（ＬＡＡ）＞  これまでのところ、ＬＴＥにより使用されるスペクトルは、ＬＴＥに専用である。これは、ＬＴＥシステムが共存の課題についてケアをしなくてよく、スペクトル効率を最大化できるという利点を有する。しかしながら、ＬＴＥへ割り当てられたスペクトルは限られており、アプリケーション／サービスからのより大きいスループットについてのますます増加しつつある需要を満たすことはできない。従って、ＬＴＥを拡張してライセンス済みスペクトルに加えて未ライセンススペクトルを活用することに関する新たな作業項目が、３ＧＰＰにおいて開始された。未ライセンススペクトルは、定義によれば、複数の異なる技術により同時に使用されることができる。従って、ＬＴＥは、ＩＥＥＥ８０２．１１（Ｗｉ−Ｆｉ）などの他のシステムとの共存の課題を考慮する必要がある。ライセンス済みスペクトルの場合と同じやり方で未ライセンススペクトルにおいてＬＴＥを運用することは、Ｗｉ−Ｆｉの性能を深刻に劣化させかねない。なぜなら、Ｗｉ−Ｆｉは、チャネルが占有されていることを一旦検出すると送信を行わないからである。
【００１９】
さらに、未ライセンススペクトルを高い信頼性で利用する１つの手法は、ライセンス済みキャリア上の不可欠な制御信号及びチャネルを送信することである。即ち、図６に示したように、ＵＥは、ライセンス済み帯域内のＰＣｅｌｌ及び未ライセンス帯域内の１つ以上のＳＣｅｌｌへ接続される。未ライセンススペクトル内のセカンダリセルは、ここでは、ライセンス支援型アクセスセカンダリセル（ＬＡＡ  ＳＣｅｌｌ）と称される。
【００２０】
ハイブリッド自動再送要求（ＨＡＲＱ）は、失われた又はエラーのある送信パケットの再送を扱うためにＬＴＥにおいて使用される仕組みである。ＨＡＲＱ手続は、トランスポートブロックごとの確認応答（ＡＣＫ）及び否定応答（ＮＡＣＫ）などのフィードバックの送信機への提供で構成され、それにより非常に迅速にトランスポートブロックを成功裏に復号する可能性がもたらされる。所与のパケットの復号に最終的に成功する蓋然性は、ＨＡＲＱ動作を強化するソフト合成技法によって強化される。具体的には、ソフト合成方式を実装する受信機は、エラーのある受信パケットを記憶し、ＨＡＲＱフィードバックによってリクエストされるそのパケットの再送レプリカと後に合成する。そうしたレプリカは、もとのトランスポートブロックと同じデータを含み、但し、異なる冗長性バージョンによって、即ちコードの異なる間引きパターンを用いて取得される異なる符号化ビットの
セットを含む。
【００２１】
レガシーＬＴＥにおいて、ＡＣＫ及びＮＡＣＫといったアップリンクＨＡＲＱは、ワイヤレス通信デバイスからのＰＵＳＣＨ（Physical  Uplink  Shared  Channel）上のアップリンク送信の検出後に無線ノードにより送信されるＰＨＩＣＨ（Physical  Hybrid-ARQ  Indicator  Channel）によって伝達される。
【００２２】
レガシーＬＴＥでは、ＡＣＫ及びＮＡＣＫといったダウンリンクＨＡＲＱフィードバックは、ＰＵＣＣＨ（Physical  Uplink  Control  Channel）により伝達される。それは、無線ノードによるＰＤＳＣＨ（Physical  Downlink  Shared  Channel）上のダウンリンク送信の検出後にワイヤレス通信デバイスにより送信される。ワイヤレス通信デバイスは、ＮＡＣＫが受信された際又はフィードバックが受信されない場合に、以前のデータを再送することを決定する。
【発明の概要】
【発明が解決しようとする課題】
【００２３】
ここでの実施形態の目的は、より効率的なやり方でワイヤレス通信ネットワークの性能を改善する仕組みを提供することである。ここでの１つ以上の実施形態は、添付の特許請求の範囲に記述される通りの方法、装置、システム及びコンピュータプログラムを含む。
【課題を解決するための手段】
【００２４】
ある観点によれば、上記目的は、ワイヤレス通信デバイスにより実装される方法により達成される。上記ワイヤレス通信デバイスは、ワイヤレス通信ネットワークの無線ノードへデータを送信する。また、上記ワイヤレス通信デバイスは、上記無線ノードからの上記データの肯定確認応答又は否定確認応答についてモニタリングする。上記ワイヤレス通信デバイスは、上記モニタリングが上記データの否定確認応答の受信を指し示す場合に、上記無線ノードへ上記データを再送する。上記ワイヤレス通信デバイスは、上記モニタリングが上記データの肯定確認応答の受信を指し示す場合に、上記無線ノードへの上記データの再送を差し控える。また、上記ワイヤレス通信デバイスは、上記モニタリングが上記データの肯定確認応答の受信も上記データの否定確認応答の受信も指し示さない場合に、上記無線ノードへの上記データの再送を差し控える。
【００２５】
他の観点によれば、上記目的は、ワイヤレス通信ネットワーク内のネットワークノードにより実装される方法により達成される。上記ネットワークノードは、ワイヤレス通信デバイスが無線ノードからデータについて肯定確認応答も否定確認応答も受信しない場合に上記ワイヤレス通信デバイスが当該データの再送を差し控えるべきであることを指し示すシグナリングを、上記ワイヤレス通信デバイスへ送信する。
【００２６】
また別の観点によれば、上記目的は、ワイヤレス通信ネットワークの無線ノードへデータを送信するように構成されるワイヤレス通信デバイス、を提供することにより達成される。上記ワイヤレス通信デバイスは、上記無線ノードからの上記データの肯定確認応答又は否定確認応答についてモニタリングする、ように構成される。上記ワイヤレス通信デバイスは、上記モニタリングにおいて上記データの否定確認応答の受信が指し示される場合に、上記無線ノードへ上記データを再送する、ようにさらに構成される。上記ワイヤレス通信デバイスは、上記モニタリングにおいて上記データの肯定確認応答の受信が指し示される場合に、上記無線ノードへの上記データの再送を差し控える、ように構成される。上記ワイヤレス通信デバイスは、上記モニタリングにおいて上記データの肯定確認応答の受信も上記データの否定確認応答の受信も指し示されない場合にも、上記無線ノードへの上記データの再送を差し控える、ように構成される、
【００２７】
また別の観点によれば、上記目的は、ワイヤレス通信ネットワークのためのネットワークノード、を提供することにより達成される。上記ネットワークノードは、ワイヤレス通信デバイスが無線ノードからデータについて肯定確認応答も否定確認応答も受信しない場合に上記ワイヤレス通信デバイスが当該データの再送を差し控えるべきであることを指し示すシグナリングを、上記ワイヤレス通信デバイスへ送信する、ように構成される。
【００２８】
ここでは、さらに、少なくとも１つのプロセッサにより実行される場合に、上記少なくとも１つのプロセッサに、上記ネットワークノード又は上記ワイヤレス通信デバイスにより行われる通りの上記方法のいずれかを遂行させる命令、を含むコンピュータプログラムが提供される。追加的に、ここでは、電子信号、光信号、無線信号、又はコンピュータ読取可能な記憶媒体、のうちの１つでる、上記コンピュータプログラムを収容する担体（carrier）が提供される。
【００２９】
よって、ここでの実施形態によれば、ワイヤレス通信デバイスは、例えばＨＡＲＱフィードバックなどのフィードバックの不在を、例えばＨＡＲＱ  ＡＣＫなどのＡＣＫが受信された場合と同じものであると想定する。それは常にであり、又は、いくつかの実施形態によれば、ネットワークがワイヤレス通信デバイスをそうするように構成した場合に、ＬＡＡキャリアについてのみ、など、１つ以上の条件が充足される場合に、である。
【発明の効果】
【００３０】
上記解決策の利点は、ネットワークが指令を出していない再送をワイヤレス通信デバイスが実行しないようになり、よって、他の送信と衝突し及び干渉を生じさせるであろう送信をワイヤレス通信デバイスが実行することが回避され、それにより、ワイヤレス通信デバイスの性能がより効率的なやり方で改善され得る。
【図面の簡単な説明】
【００３１】
これより、次の添付図面との関係において実施形態がより詳細に説明されるであろう。
【００３２】
【図１】ＬＴＥのダウンリンク物理リソースを示している。
【図２】ＬＴＥの時間ドメイン構造を示している。
【図３】ダウンリンクサブフレームの一例を示している。
【図４】アップリンクのためのベースバンド処理の一例を示している。
【図５】１００ＭＨｚのキャリアアグリゲーションを示している。
【図６】ＬＴＥのキャリアアグリゲーションを用いた、未ライセンススペクトルへのライセンス支援型アクセス（ＬＡＡ）の一例を示している。
【図７】ＬＢＴ（Listen  Before  Talk）処理の様子を示している。
【図８】従来技術に係るワイヤレス通信デバイスの現行の振る舞いを示している。
【図９ａ】ここでの実施形態に係るワイヤレス通信ネットワークを描いた概略図である。
【図９ｂ】ここでの実施形態に係るシグナリング方式を示している。
【図１０】ここでの実施形態に係る方法を描いたフローチャートである。
【図１１】ここでの実施形態に係る方法を描いたフローチャートである。
【図１２】ここでの実施形態に係るワイヤレス通信デバイスを描いたブロック図である。
【図１３】ここでの実施形態に係るネットワークノードを描いたブロック図である。
【発明を実施するための形態】
【００３３】
ここでの実施形態は、ＬＴＥ、ＷＬＡＮ（Wireless  Local  Area  Network）又は類似のものなど、ライセンス帯域及び未ライセンス帯域における通信に関する。ＷＬＡＮの典型的な配備では、メディアアクセスのためにＣＳＭＡ／ＣＡ（carrier  sense  multiple  access  with  collision  avoidance）が使用される。これは、チャネルがＣＣＡ（clear  channel  assessment）を行うためにセンシングされ、チャネルがアイドルであると宣言される場合にのみ送信が開始されることを意味する。チャネルがビジーであると宣言されるケースでは、本質的には、送信はチャネルがアイドルであると見なされるより遅い時刻まで延期される。同じ周波数を用いる複数のアクセスポイント（ＡＰ）のレンジが重複する場合、これは、レンジ内の他のＡＰとの間の同じ周波数上での送信が検出され得るケースにおいて１つのＡＰに関連する全ての送信が延期され得ることを意味する。実質的には、これは、複数のＡＰがレンジ内にある場合に、それらがチャネルを時間的に共用しなければならなくなること、及び個々のＡＰのスループットがひどく劣化し得ることを意味する。ＬＢＴ（listen  before  talk）の仕組みの一般的な様子が図７に示されている。アクション１：送信機は、エネルギー検出を用いてＣＣＡを実行する。送信機は、チャネル上にトラフィックを検出しない。アクション２：送信機は、チャネルを占有しデータ送信を開始する。さらに、送信機は、ＣＣＡチェック無しで制御（Ｃｔｒｌ）信号を送信してもよく、アクション５と表記されている。アクション３：送信機は、アイドル状態を続け、アイドル期間の終了時にＣＣＡを開始する。チャネル上にトラフィックが検出され、チャネルはビジーである。アクション４：よって、チャネルがビジーである間そのチャネル上で送信は許可されず、禁止時間の終了時に送信機はエネルギー検出を用いてＣＣＡを開始する。送信機は、チャネル上にトラフィックを検出せず、送信機は、チャネルを占有しデータ送信を開始する。
【００３４】
例えば未ライセンス帯域で動作するために、あるルールを遵守する必要がある。１つのそうしたルールは、無線ノード又はワイヤレス通信デバイスなどの送信機が送信を開始する前にキャリアについてリッスンする必要があることである。メディアがフリーであれば送信機は送信を行うことができ、一方でメディアがビジーであれば、例えば何らかの他のノードが送信中であれば、送信機は送信を抑制する必要があり、送信機はより遅い時刻において再試行をすることができる。これをＬＢＴ（Listen  Before  Talk）という。
【００３５】
ＬＢＴに起因して、未ライセンス帯域での送信は、後のメディアがフリーな時刻まで遅延させられ得る。しばしば当てはまる送信ノード間の協調が無いケースでは、遅延はランダムに現れ得る。
【００３６】
現行のＬＴＥ手続とは異なり、ＬＡＡでは、アップリンク及びダウンリンク双方の任意の物理チャネルでのスケジューリングされる送信を、スケジューリングされる送信が実際に生起する前に中止（abort）することができる。例えば、ＬＢＴ（Listen  Before  Talk）は、周囲のその時点で送信中であり潜在的に妨害をし得る他のノードの存在を検出する目的での、送信機によるワイヤレスメディアのセンシングを伴う。メディアがＬＢＴ手続によりビジーであると識別された場合、送信は中止される。
【００３７】
現行のＬＴＥシステムでは、ＰＨＩＣＨ上のＨＡＲＱフィードバックが、例えばＬＢＴ手続において検出されるビジーチャネルに起因して無線ノードにより中止される場合に、ワイヤレス通信デバイスは、エア上で送信が実際に検出されなかったことから、予期されるフィードバックを不在（absent）あるいは“不連続送信（ＤＴＸ）”として解釈することになる。現行のＬＴＥの動作によれば、ＡＣＫが検出されない場合、ワイヤレス通信デバイスは、ＮＡＣＫが受信されたものと見なすことになり、それに応じたアクションを行う。これは、ＤＴＸのケース、即ちＡＣＫ未検出のケースにおいて、ワイヤレス通信デバイスがＮＡＣＫを受信したものと見なすことを意味する。よって、ワイヤレス通信デバイスは、図８に示したように、サブフレーム１２でのトランスポートブロックの再送を進めるであろう。
【００３８】
ここでの実施形態を展開する一部として問題を識別した。前述した振る舞いに伴う問題は、無線ノードがＡＣＫを送信することを意図した場合に、ワイヤレス通信デバイスが再送のために使用するであろう物理リソース（ＰＲＢ）が、無線ノードにより、サブフレーム１２においてやはり送信を行おうとする何らかの他のワイヤレス通信デバイスへ再割り当てされてしまい、よってそのサブフレームにおいて干渉が生じることである。
【００３９】
ワイヤレス通信デバイスは、既に現在、ＬＡＡ無しでＨＡＲＱフィードバックの受信を逸失し得るが、ＬＡＡのケースでは、ＬＢＴの仕組みに起因してＨＡＲＱフィードバックを逸失する頻度は格段に高いはずである（図８参照）。よって、未ライセンス帯域では、即ちＬＡＡキャリア上では、より一層有害である。実際、ＬＴＥにおけるＰＨＩＣＨは、相対的にロバストなチャネル符号化を受けており、例えば二位相変位変調（ＢＰＳＫ）変調法が使用され、それがワイヤレス通信デバイス側で、頻繁なＤＴＸを防止し及びＡＣＫ／ＮＡＣＫの誤解釈をも防止するはずである。代わりに、ＰＨＩＣＨが未ライセンススペクトル上で送信される場合、ＬＢＴが伝送メディアがビジーであると識別し、よってＰＨＩＣＨ送信の中止を誘発する確率は、特に多くの（又は高負荷の）システム及びノードが同じスペクトル使用しているケースにおいて、相対的に高くなり得る。
【００４０】
ここでの実施形態は、概して通信ネットワークに関する。図９ａは、ワイヤレス通信デバイス１を描いた概略図である。ワイヤレス通信ネットワーク１は、１つ以上のＲＡＮと、１つ以上のＣＮとを含む。通信ネットワーク１は、あり得る若干の実装に言及するだけでも、Ｗｉ−Ｆｉ、ＬＴＥ（Long  Term  Evolution）、ＬＴＥアドバンスト、５Ｇ、ＷＣＤＭＡ（Wideband  Code  Division  Multiple  Access）、ＧＳＭ／ＥＤＧＥ（Global  System  for  Mobile  communications/Enhanced  Data  rate  for  GSM  Evolution）、ＷｉＭＡＸ（Worldwide  Interoperability  for  Microwave  Access）又はＵＭＢ（Ultra  Mobile  Broadband）といった複数の異なる技術を使用してよい。
【００４１】
ワイヤレス通信ネットワーク１において、例えば移動局、非ＡＰ（non-access  point）ＳＴＡ、ＳＴＡ、ユーザ機器及び／又はワイヤレス端末などのワイヤレス通信デバイス１０といったワイヤレスデバイスは、１つ以上のコアネットワーク（ＣＮ）へ、例えばＲＡＮなどの１つ以上のアクセスネットワーク（ＡＮ）を介して通信する。当業者により理解されるべきこととして、“ワイヤレス通信デバイス”は、任意の端末、ワイヤレス通信端末、ユーザ機器、ＭＴＣ（Machine  Type  Communication）デバイス、Ｄ２Ｄ（Device  to  Device）端末、若しくは、スマートフォン、ラップトップ、モバイルフォン、センサ、リレー若しくはモバイルタブレットなどのノードを意味し、又は、セル内のワイヤレス通信デバイスと通信する基地局さえも意味する非限定的な用語である。ワイヤレス通信ネットワーク１は、ＬＴＥ、Ｗｉ−Ｆｉ又は類似のものといった第１の無線アクセス技術（ＲＡＴ）に従って、地理的エリアである第１のサービスエリア１１上で無線カバレッジを提供する無線ノード１２を含む。無線ノード１２は、例えば上記第１の無線アクセス技術及び使用される専門用語に依存して、例えば、ＷＬＡＮアクセスポイント若しくはアクセスポイントステーション（ＡＰ  ＳＴＡ）、ＮｏｄｅＢなどの無線基地局、拡張ＮｏｄｅＢ（ｅＮＢ、ｅＮｏｄｅＢ）、基地送受信局、アクセスポイント基地局、基地局ルータ若しくは無線基地局の送信構成などの基地局、スタンドアローンアクセスポイント、又は、無線ノード１２によりサービスされるサービスエリア内でワイヤレス通信デバイスにサービス可能な任意の他のネットワークユニットといった、アクセスポイントなどの無線アクセスネットワークノードであってよい。ワイヤレス通信ネットワーク１は、アクセスコントローラ、無線ネットワークコントローラ、基地局コントローラ又は類似のものといった、コントローラノード１６をさらに含む。無線ノード１２及びコントローラノード１６は、ここではネットワークノード１５として定義される。ここでの実施形態は、例えばＨＡＲＱフィードバックなどのフィードバックの不在のケースでのワイヤレス通信デバイス１０の振る舞いに関する。
【００４２】
ここでの実施形態において、ワイヤレス通信デバイス１０は、ＨＡＲＱフィードバックの不在をＡＣＫと見なすであろう。即ち、ワイヤレス通信デバイス１０は、ＨＡＲＱフィードバックを検出しなければ、その状況を、ワイヤレス通信デバイス１０がそのＨＡＲＱ手続又はデータ送信についてＡＣＫを受信したかのように解釈する。これが図９ｂに例示されている。サブフレーム０において、無線ノード１２は、初期のグラントを送信する。ワイヤレス通信デバイス１０は、そのグラントを受信し、グラントされた通りにサブフレーム４において例えばＲＬＣ  ＰＤＵ（Radio  Link  Control  Protocol  Data  Unit）などのＵＬ送信信号（ＴＸ）を送信する。無線ノード１２は、ＵＬ送信信号を受信するが、チャネルがビジーであることが例えばＬＢＴ手続によりセンシングされ、無線ノード１２がそのチャネル上で送信することは可能とならず、即ちＨＡＲＱフィードバックはブロックされる。この状況において、ワイヤレス通信デバイス１０は、ここでは、実施形態に従って、ＨＡＲＱフィードバックの不在がＡＣＫであるものと見なされることを想定する、ように構成される。
【００４３】
ワイヤレス通信デバイス１０は、ＡＣＫを受信したと見なす場合、関連付けられるＨＡＲＱ手続を一時中断（suspend）し、再送の送信を控え得る。図８に対して図９ｂを比較するとこれを理解することができ、図９ｂでは、ワイヤレス通信デバイス１０は再送を実行しないことになる一方で、図８ではワイヤレス通信デバイス１０は再送を実行する。ワイヤレス通信デバイス１０は、ネットワークからＮＡＣＫを受信し、又はアップリンク送信についてグラントを受信するまで、ＨＡＲＱプロセスを再開しないであろう。
【００４４】
ワイヤレス通信デバイス１０がＨＡＲＱフィードバックの不在をＡＣＫと見なす場合、次の２つのシナリオが生起し得る：
−無線ノード１２は、ＡＣＫを送信することを意図したが、ＡＣＫを伴う送信はビジーメディアに起因して中止された。このケースでは、ワイヤレス通信デバイス１０は、ＮＡＣＫ又は新たな送信グラントであるネットワークからのさらなる指示まで待機するであろう。
−無線ノード１２は、ＮＡＣＫを送信することを意図したが、ＮＡＣＫを伴う送信はビジーメディアに起因して中止された。このケースでは、無線ノード１２は、ワイヤレス通信デバイス１０に再送を行うことを望んだが、無線ノード１２がＮＡＣＫ送信を中止したことから、より遅い時刻にＮＡＣＫを送信し、及び／又は、未切り替え（not  toggled）のＮＤＩ（new  data  indicator）と、異なる間引きパターンをワイヤレス通信デバイス１０へ指し示すように逓増されたＲＶＩ（redundancy  version  indicator）とを伴うＰＤＣＣＨコマンドを送信することになる。
【００４５】
いくつかの実施形態に係るワイヤレス通信デバイス１０により実行される方法のアクションを、図１０に示したフローチャートを参照しながら以下に説明する。それらアクションは、以下に記述した順序で行われなくてもよく、任意の適した順序で行われてよい。いくつかの実施形態において実行されるアクションは、必ずしも全ての実施形態でではないが、破線のボックスでマーク付けされている。
【００４６】
アクション１０００。ワイヤレス通信デバイス１０は、ワイヤレス通信デバイス１０がデータについて肯定確認応答も否定確認応答も受信しない場合にワイヤレス通信デバイス１０が当該データの再送を差し控えるべきであることを指し示すシグナリングを、例えば無線ノード１２又はコアネットワークノード１６などのネットワークノード１５から受信し得る。ネットワークノード１５は、非ＬＡＡキャリア又はライセンス済みキャリア上である振る舞いを適用し、但しＬＡＡキャリア又は未ライセンスキャリアについて他の振る舞いを適用するように、ワイヤレス通信デバイス１０を構成してもよい。ＬＡＡキャリア上での振る舞いは、例えば、ＬＡＡキャリア上での無線ノード１２へのデータの送信について肯定確認応答も否定確認応答も受信されない場合に当該データの再送を差し控えることであってよく、一方で、非ＬＡＡキャリア上での振る舞いは、この例では、非ＬＡＡキャリア上での無線ノード１２へのデータの送信について肯定確認応答も否定確認応答も受信されない場合に当該データを再送することであってよい。
【００４７】
アクション１００１。ワイヤレス通信デバイス１０は、ワイヤレス通信ネットワーク１の無線ノード１２へデータを送信する。ワイヤレス通信デバイス１０は、未ライセンススペクトル上で、又は非同期プロトコル上で無線ノードへデータを送信してもよい。ワイヤレス通信デバイス１０は、無線ノード１２へのデータの送信前にＬＢＴ（Listen  Before  Talk）手続を実行する、ように構成されてもよい。よって、ワイヤレス通信デバイス１０は、キャリア上でのデータの送信前に、キャリアをリッスンして、キャリアが送信のためにフリーであることを判定してもよい。
【００４８】
アクション１００２。ワイヤレス通信デバイス１０は、無線ノード１２からの上記データの肯定確認応答又は否定確認応答についてモニタリングする。肯定確認応答は、ＡＣＫ又は切り替えられたＮＤＩ（new  data  indicator）を伴うＰＤＣＣＨコマンドであってよく、否定確認応答は、ＮＡＣＫ又は未切り替えのＮＤＩ（new  data  indicator）を伴うＰＤＣＣＨコマンドであってよい。ＰＤＣＣＨコマンドは、ＵＬグラントを含んでもよい。このようにして、ワイヤレス通信デバイス１０が再送を行うべきか否かが、肯定確認応答又は否定確認応答を指し示すＡＣＫ／ＮＡＣＫ又はＰＤＣＣＨ上のＵＬグラントにより制御されてよく、即ち、ＰＤＣＣＨにおいてＮＤＩフラグが切り替えられていれば新たなデータが送信され、一方で、切り替えられていなければ再送が行われることになる。切り替え（toggle）とは、新たな送信を指し示す“スイッチ”を意味する。そのため、ネットワークが前回１を指し示したが次に０を指し示す場合、それはネットワークがインジケータを“切り替えた”こと、及びワイヤレス通信デバイスが新たな送信を行うものとされることを意味する。ネットワークが次に０を再び指し示す場合、それはワイヤレス通信デバイスが再送を行うものとされることを意味する。ワイヤレス通信デバイスは、ネットワークが１への切り替えを行うまで再送を続け、１への切り替え後にワイヤレス通信デバイスは新たな送信を行うであろう。データの肯定確認応答又は否定確認応答は、いくつかの実施形態において、ＰＨＩＣＨ（Physical  Hybrid  Automatic  Repeat  reQuest  Indicator  Channel）上で伝達されてもよい。例えば、データの肯定確認応答又は否定確認応答は、いくつかの実施形態において、モニタリングの結果としてＰＨＩＣＨ上でワイヤレス通信デバイス１０により受信されてもよい。他の実施形態において、それは、上で説明したように、例えばＰＤＣＣＨコマンド又はＵＬグラントの形式で、ＰＤＣＣＨ（Physical  Downlink  Control  Channel）上で伝達されてもよい。例えば、データの肯定確認応答又は否定確認応答は、その場合、モニタリングの結果としてＰＤＣＣＨ上でワイヤレス通信デバイス１０により受信されてもよい。
【００４９】
無線ノード１２は、肯定確認応答又は否定確認応答が送信されるべきキャリアが、送信されたデータの上記肯定確認応答又は上記否定確認応答のワイヤレス通信デバイス１０への送信の前に無線ノード１２により占有されなければならない場合に、ＬＢＴ（Listen  Before  Talk）手続を実行する、ように構成されてもよい。ＬＢＴ手続により、伝送メディア、即ち肯定確認応答又は否定確認応答が送信されるべきキャリアがビジーなものとして識別される場合、肯定確認応答又は否定確認応答の送信は、上述したように中止され得る。
【００５０】
アクション１００３。ワイヤレス通信デバイス１０は、上記モニタリングがデータの否定確認応答の受信を指し示す場合に、無線ノード１２へデータを再送する。ワイヤレス通信デバイス１０は、いくつかの実施形態において、失敗かを確認する前に、ある最大の再送回数だけデータを再送してもよく、よって、それ以上の再送は行わないことになる。
【００５１】
アクション１００４。ワイヤレス通信デバイス１０は、上記モニタリングがデータの肯定確認応答の受信を指し示す場合に、無線ノード１２へのデータの再送を差し控える。上述したように、ワイヤレス通信デバイス１０は、ＡＣＫ、又は、前回のＨＡＲＱループが成功し新たなデータを送信可能であることを指し示すようにＮＤＩが切り替えられたＰＤＣＣＨを受信し得る。
【００５２】
アクション１００５。アクション１００４の差し控えることに加えて、ワイヤレス通信デバイス１０は、第二に、さらに追加的に、上記モニタリングがデータの肯定確認応答の受信もデータの否定確認応答の受信も指し示さない場合に、無線ノード１２へのデータの再送を差し控えてもよい。この追加的な差し控えアクションにおいて、ワイヤレス通信デバイスは、追加的に、上記モニタリングがデータの肯定確認応答の受信もデータの否定確認応答の受信も指し示さない場合に、データの否定確認応答の受信又は異なるデータを送信するためのグラントの受信まで、無線ノード１２へのデータの再送を差し控えてもよい。言い換えれば、上記モニタリングが無線ノード１２へのデータの肯定確認応答の受信もデータの否定確認応答の受信も指し示さない場合の追加的なデータの再送の差し控えは、データの否定確認応答又は異なるデータの送信のためのグラントがワイヤレス通信デバイス１０により受信されるまで実行されてもよい。否定確認応答は、ＮＡＣＫ、又は、再送のためのグラント、即ち、ＮＤＩフラグが未切り替えであるＵＬグラントを含んでよい。ワイヤレス通信デバイスは、追加的に、１つ以上の条件が充足される場合であって、上記モニタリングがデータの肯定確認応答の受信もデータの否定確認応答の受信も指し示さないときに、無線ノード１２へのデータの再送を差し控えてもよい。別の言葉で言うと、無線ノード１２へのデータの再送の追加的な差し控えは、上記モニタリングがデータの肯定確認応答の受信もデータの否定確認応答の受信も指し示さないことに加えて、１つ以上の条件が充足される場合に行われてもよい。
【００５３】
例えば、１つ以上の条件は、次のうちの１つ以上であってよい：例えば特定のキャリア上で又は任意のキャリア上でＬＢＴが適用されるか否かなど、データが未ライセンススペクトル上で送信されたか否か；第１のタイプの無線アクセス上でデータが送信されたか否か；第１のタイプの無線アクセス上でデータが送信されたのか又は第１のタイプのアクセスとは異なる第２のタイプのアクセス上でデータが送信されたのか；データは第１のタイプか又は第２のタイプか、例えば、第１のタイプのデータはより低いサービス品質（ＱｏＳ）分類を有してもよく、又は第２のタイプのデータよりも遅延感受性が低くてもよい。
【００５４】
１つ以上の条件は、例示的な実施形態において、データが未ライセンススペクトル上で送信された場合にアクション１００５の差し控えることが行われるように充足されてもよい。代替的に又は追加的に、１つ以上の条件は、データが第１のタイプの無線アクセス上で送信された場合にアクション１００５の差し控えることが行われるように充足されてもよく、一方で、当該１つ以上の条件は、データが第２のタイプの無線アクセス上で送信された場合には、アクション１００５の差し控えることが行われないように、充足されない。これは、データが第２のタイプの無線アクセス上で送信され且つモニタリングがデータの肯定確認応答の受信もデータの否定確認応答の受信も指し示さない場合に、データの再送がなされることを意味する。さらに、追加的に又は代替的に、１つ以上の条件は、データが第１のタイプである場合にアクション１００５の差し控えることが行われるように充足されてもよく、一方で、当該１つ以上の条件は、データが第１のタイプとは異なる第２のタイプである場合には、アクション１００５の無線ノード１２へのデータの再送を差し控えることが行われないように、データが第２のタイプである場合には充足されない。第２のタイプのデータは、よって、上記モニタリングがデータの肯定確認応答の受信もデータの否定確認応答の受信も指し示さない場合に、無線ノード１２へ再送されなければならない。第２のタイプのデータは、第１のタイプのデータとは相違する。このようにして、ネットワークノード１５は、上記モニタリングにおいてデータの肯定確認応答の受信もデータの否定確認応答の受信も指し示されない場合にワイヤレス通信デバイス１０がどのＱｏＳクラスを対象としてデータの再送を追加的に差し控えるべきであるかについてワイヤレス通信デバイス１０を構成してもよい。
【００５５】
ワイヤレス通信デバイス１０は、アクション１０００において受信されるシグナリングに従って、上記モニタリングがデータの肯定確認応答の受信もデータの否定確認応答の受信も指し示さない場合に、アクション１００５の無線ノード１２へのデータの再送を追加的に差し控えることを実行してもよい。
【００５６】
上述したように、いくつかの実施形態において、ワイヤレス通信デバイス１０は、１つ以上の条件が充足されるかに依存して、ＨＡＲＱフィードバックの不在をＡＣＫ又はＮＡＣＫとして解釈してもよい。いくつかのさらなる例示的条件に関する説明が以下に提供される。
【００５７】
＜キャリアタイプに関する条件＞
１つの実施形態において、ワイヤレス通信デバイス１０は、ＨＡＲＱフィードバックがどのキャリアタイプ上で受信されることを予期されたかに関する条件を適用してもよい。
【００５８】
１つの可能性は、ワイヤレス通信デバイス１０がＬＡＡキャリア、又は未ライセンススペクトル上で搬送される他のタイプのキャリアを動作させる際にＨＡＲＱフィードバックの不在をいかに扱うべきかに関する第１の振る舞いを適用し、例えば非ＬＡＡキャリアなどの他のキャリアを動作させる際にＨＡＲＱフィードバックの不在をいかに扱うべきかに関する第２の振る舞いを適用することである。
【００５９】
ＨＡＲＱフィードバックの不在をいかに扱うべきかに関する第１の振る舞いは、ワイヤレス通信デバイス１０がＨＡＲＱフィードバックの不在をＡＣＫと見なすことであり得る。第２の振る舞いは、ワイヤレス通信デバイス１０がＨＡＲＱフィードバックの不在をＮＡＣＫと見なしデータを再送することであり得る。第２のワイヤレス通信デバイスの振る舞いが未定義であるようなこともあり得る。よって、第１の振る舞いは、上でアクション１００５において説明した差し控えることに対応する。
【００６０】
この実施形態の利点は、レガシースペクトルでは、ＤＴＸ、即ちＨＡＲＱフィードバックの不在をＮＡＣＫとして解釈することが依然として望ましいであろうということである。なぜなら、この手続は、ワイヤレス通信デバイス１０がデータをいかに迅速に再送し、ＨＡＲＱフィードバックの不在をＡＣＫと見なすことにより誘発される固有の遅延を回避するかという観点で、よりアグレッシブである。実際、無線ノード１２がＰＨＩＣＨ上でＮＡＣＫをスケジューリングした場合、ワイヤレス通信デバイス１０は、ネットワークによるＰＤＣＣＨを介するさらなるコマンドを待機することなく再送を行うことができる。これは、遅延への感受性の高いトラフィックについて特に便利であろう。
【００６１】
一方で、未ライセンススペクトルはその性質において既に予測不能な干渉源により影響されており、よって、レガシーアプローチ、即ちＨＡＲＱフィードバックの不在をＮＡＣＫとして解釈することが示唆するはずの追加的な妨害／干渉を防止することが重要である。そのうえ、未ライセンス帯域は典型的には事業者により遅延への感受性の高い情報を搬送するようには構成されず、よって提案した手続は未ライセンススペクトルのトラフィックに害を与えるようには予期されない。
【００６２】
＜トラフィックタイプに関する条件＞
また別の実施形態では、ワイヤレス通信デバイス１０は、セットアップされるトラフィックのタイプに基づいて、ＨＡＲＱフィードバックの不在をＡＣＫ又はＮＡＣＫと見なす。例えば、トラフィックに関連付けられるＱＣＩ（Quality  Class  Indicator）に基づいてそうした決定をすることができる。例えばリアルタイムゲーミング、ＶｏＩＰ（Voice  over  IP）呼など、トラフィックの遅延への感受性が高い場合、ＨＡＲＱフィードバックの不在のケースではＮＡＣＫが想定される。そうではなく、例えばＦＴＰ（File  Transfer  Protocol）アプリケーションなど他のタイプのベアラについては、ＨＡＲＱフィードバックの不在のケースでＡＣＫが想定される。
【００６３】
いくつかの実施形態に係るワイヤレス通信ネットワーク１内の無線ノード１２又はコアネットワークノード１６といったネットワークノード１５により実装される方法のアクションが、以下に図１１に描かれているフローチャートを参照しながら説明されるであろう。それらアクションは、以下に記述した順序で行われなくてもよく、任意の適した順序で行われてよい。いくつかの実施形態において実行されるアクションは、必ずしも全ての実施形態でではないが、破線のボックスでマーク付けされている。ネットワークノード１５は、例えば無線ノード１２として実装される場合、ワイヤレス通信デバイス１０へデータ及び／又はフィードバックを送信する前にＬＢＴ手続を実行する、ように構成され得る。図１１は、上のアクション１０００における上述したシグナリングに関連しており、ワイヤレス通信デバイス１０は、ネットワークノード１５からそのシグナリングを受信する。
【００６４】
アクション１１０１。ネットワークノード１５は、ワイヤレス通信デバイス１０がデータの送信について肯定確認応答も否定確認応答も受信しない場合に当該ワイヤレス通信デバイスがデータの再送を差し控えるべきであることを判定し得る。上記データとは、ワイヤレス通信ネットワーク１においてワイヤレスデバイス１０により無線ノード１２へ送信されるデータであってよい。上記判定は、例えばネットワークノード１５により、ワイヤレス通信ネットワーク１内で蓄積される統計に基づいてネットワークノード１５により行われてもよい。上記判定は、ワイヤレス通信デバイス１０、ネットワークノード１５及び／又はワイヤレス通信デバイス１０によるデータの送信先の無線ノード１５での干渉条件に基づいて、ネットワークノード１５により行われてもよい。データの肯定確認応答又は否定確認応答は、いくつかの実施形態において、ＰＨＩＣＨ（Physical  Hybrid  Automatic  Repeat  Request  Indicator  Channel）上で伝達されてもよい。他の実施形態においてそれは、例えば上で説明したようなＰＤＣＣＨコマンド又はＵＬグラントの形式で、ＰＤＣＣＨ（Physical  Downlink  Control  Channel）上で伝達されてもよい。
【００６５】
アクション１１０２。ネットワークノード１５は、ワイヤレス通信デバイス１０がデータについて肯定確認応答も否定確認応答も受信しない場合にワイヤレス通信デバイス１０が当該データの再送を差し控えるべきであることを指し示すシグナリングを生成し得る。そのフィードバック、即ちデータについての肯定確認応答又は否定確認応答は、ワイヤレス通信デバイス１０により、データの送信先であった無線ノード１２から予期され得る。
【００６６】
アクション１１０３。ネットワークノード１５は、アクション１１０２において生成されたシグナリングをワイヤレス通信デバイス１０へ送信する。そのシグナリングは、ワイヤレス通信デバイス１０がデータについて肯定確認応答も否定確認応答も受信しない場合にワイヤレス通信デバイス１０が当該データの再送を差し控えるべきであることを指し示す。フィードバック、即ちデータについての肯定確認応答又は否定確認応答は、ワイヤレス通信デバイス１０により、無線ノード１２から予期され得る。
【００６７】
アクション１１０３の送信は、いくつかの実施形態において、例えば無線ノード１２などのあるノードにより実行されてよく、一方で、アクション１１０１の判定は、例えばコアネットワークノード１６又は無線ノード１２以外の他の無線ノードなど、ワイヤレス通信ネットワーク１内の他のノードにより実行されてもよい。例えば、ワイヤレス通信デバイス１０は、例えばデュアルコネクティビティ及び／又はキャリアアグリゲーションにおいて、複数の無線ノードへ接続するかもしれず、即ち、ワイヤレス通信デバイス１０を構成しよってアクション１１０１の判定を行うある無線ノードと、アクション１１０３の送信及び恐らくはＬＢＴ手続を行う他の無線ノードとが存在してもよい。アクション１１０２の生成がアクション１１０３の送信を行うノード以外の他のノードにより実行されることも可能である。例えば、アクション１１０３の生成が無線ノード１２により行われる一方で、アクション１１０２の生成がコアネットワークノード１６により行われてもよい。
【００６８】
＜ネットワーク標識に関する条件＞
上述したように、ワイヤレス通信デバイス１０がＨＡＲＱフィードバックの不在をＮＡＣＫとして解釈するか又はＡＣＫとして解釈するかがネットワークノード１５により構成されてもよい。無線ノード１２などのネットワークノード１５は、例えば、無線リソース制御（ＲＲＣ）シグナリング、メディアアクセス制御（ＭＡＣ）シグナリング又は他の何らかのタイプの標識を用いて、ワイヤレス通信デバイス１０を構成し得る。
【００６９】
これにより、ネットワークノード１５がネットワークのプリファレンスに基づいてワイヤレス通信デバイスの振る舞いを調整することが可能となる。例えば、ワイヤレス通信デバイス１０が再送を迅速に実行することをネットワークが望む場合、ネットワークノード１５は、ＨＡＲＱフィードバックの不在をＮＡＣＫとして解釈するようにワイヤレス通信デバイス１０を構成してよく、その解釈が再送をトリガする。また、ワイヤレス通信デバイス１０が期待されない再送の実行を回避することをネットワークが望む場合、ネットワークノード１５は、ＨＡＲＱフィードバックの不在をＡＣＫとして解釈するようにワイヤレス通信デバイス１０を構成してよい。
【００７０】
そのうえ、例えばネットワークノード１５などネットワークによる上記決定は、例えば無線ノード１２により時間にわたって蓄積される何らかの統計からなされてもよく、例えば周囲の強力な干渉源の欠如のケースでは、無線ノード１２は、ワイヤレス通信デバイス１０によりＨＡＲＱフィードバックの不在がＡＣＫとして解釈される解決策を採用することを優先してもよい。但し、その解決策は、そうした決定をＲＲＣシグナリングを介して送信することを示唆するはずである。
【００７１】
＜装置＞
上の修正例及び変形例を念頭におきつつ、ワイヤレス通信デバイスは、例えば機能的手段又はユニットを介して、上述した任意の処理を実装するように構成される。
【００７２】
図１２は、ワイヤレス通信デバイス１０を描いたブロック図である。ワイヤレス通信デバイス１０は、処理回路１２０１と、送信機１２０３及び受信機１２０４を伴う通信インタフェース１２０２とを備え得る。
【００７３】
ワイヤレス通信デバイス１０、処理回路１２０１、通信インタフェース１２０２及び／又は送信機１２０３は、ワイヤレス通信ネットワーク１の無線ノード１２へデータを送信する、ように構成され得る。
【００７４】
ワイヤレス通信デバイス１０及び／又は処理回路１２０１は、無線ノード１２からの、データの肯定確認応答又は否定確認応答についてモニタリングする、ように構成され得る。
【００７５】
ワイヤレス通信デバイス１０、処理回路１２０１、通信インタフェース１２０２及び／又は送信機１２０３は、モニタリングにおいてデータの否定確認応答の受信が指し示される場合に、無線ノード１２へデータを再送する、ように構成され得る。
【００７６】
ワイヤレス通信デバイス１０、処理回路１２０１、通信インタフェース１２０２及び／又は送信機１２０３は、モニタリングにおいてデータの肯定確認応答の受信が指し示される場合に、無線ノード１２へのデータの再送を差し控える、ように構成され得る。
【００７７】
ワイヤレス通信デバイス１０、処理回路１２０１、通信インタフェース１２０２及び／又は送信機１２０３は、モニタリングにおいてデータの肯定確認応答の受信もデータの否定確認応答の受信も指し示されない場合に、追加的に、無線ノード１２へのデータの再送を差し控える、ように構成され得る。
【００７８】
ワイヤレス通信デバイス１０、処理回路１２０１、通信インタフェース１２０２及び／又は送信機１２０３は、未ライセンススペクトル上で又は非同期的プロトコル上で無線ノード１２へデータを送信する、ように構成され得る。
【００７９】
ワイヤレス通信デバイス１０、処理回路１２０１、通信インタフェース１２０２及び／又は送信機１２０３は、モニタリングがデータの肯定確認応答の受信もデータの否定確認応答の受信も指し示さない場合に、追加的に、ワイヤレス通信デバイス１０における、データの否定確認応答の受信、又は異なるデータを送信するためのグラントの受信まで、無線ノード１２へのデータの再送を差し控える、ように構成され得る。言い換えると、モニタリングの結果としてデータの肯定確認応答の受信もデータの否定確認応答の受信も指し示されない場合に、ワイヤレス通信デバイス１０、処理回路１２０１、通信インタフェース１２０２及び／又は送信機１２０３は、ワイヤレス通信デバイス１０においてデータの否定確認応答又は異なるデータを送信するためのグラントが受信されるまで、無線ノード１２へのデータの再送を差し控える、ように構成され得る。
【００８０】
ワイヤレス通信デバイス１０、処理回路１２０１、通信インタフェース１２０２及び／又は送信機１２０３は、モニタリングがデータの肯定確認応答の受信もデータの否定確認応答の受信も指し示さない場合おいて、１つ以上の条件が充足されるときに、追加的に、無線ノード１２へのデータの再送を差し控える、ように構成され得る。
【００８１】
ワイヤレス通信デバイス１０、処理回路１２０１、通信インタフェース１２０２及び／又は送信機１２０３は、モニタリングがデータの肯定確認応答の受信もデータの否定確認応答の受信も指し示さない場合において、データが未ライセンススペクトル上で送信されたときに、追加的に、無線ノード１２へのデータの再送を差し控える、ように構成され得る。
【００８２】
ワイヤレス通信デバイス１０、処理回路１２０１、通信インタフェース１２０２及び／又は送信機１２０３は、モニタリングがデータの肯定確認応答の受信もデータの否定確認応答の受信も指し示さない場合において、データが第１のタイプの無線アクセス上で送信されたときに、追加的に、無線ノード１２へのデータの再送を差し控える、ように構成され得る。
【００８３】
ワイヤレス通信デバイス１０、処理回路１２０１、通信インタフェース１２０２及び／又は送信機１２０３は、モニタリングがデータの肯定確認応答の受信もデータの否定確認応答の受信も指し示さない場合において、データが第１のタイプであるときに、追加的に、無線ノード１２へのデータの再送を差し控える、ように構成され得る。第１のタイプのデータは、より低いサービス品質分類を有し又は第２のタイプのデータよりも遅延感受性が低くてもよく、ワイヤレス通信デバイス１０、処理回路１２０１、通信インタフェース１２０２及び／又は送信機１２０３は、データが第１のタイプとは異なる第２のタイプである場合には、無線ノード１２へのデータの再送を差し控えない、ように構成されてもよい。言い換えると、ワイヤレス通信デバイス１０、処理回路１２０１、通信インタフェース１２０２及び／又は送信機１２０３は、データが第２のタイプである場合に、無線ノード１２へデータを再送する、ように構成されてもよい。
【００８４】
ワイヤレス通信デバイス１０、処理回路１２０１、通信インタフェース１２０２及び／又は送信機１２０３は、データの無線ノード１２への送信について肯定確認応答も否定確認応答も受信されない場合にワイヤレス通信デバイスがデータの再送を差し控えるべきであることを指し示すシグナリングをネットワークノード１５から受信する、ように構成され得る。ネットワークノード１５は、いくつかの実施形態では無線ノード１２であってよく、又は他の実施形態では例えばコアネットワークノード１６若しくは他の無線ノードであってよい。ワイヤレス通信デバイス１０、処理回路１２０１、通信インタフェース１２０２及び／又は送信機１２０３は、モニタリングがデータの肯定確認応答の受信もデータの否定確認応答の受信も指し示さない場合に、追加的に、受信されるシグナリングに従って、無線ノード１２へのデータの再送を差し控える、ようにさらに構成され得る。
【００８５】
無線ノード１２は、ワイヤレス通信デバイス１０へデータを送信する前に、ＬＢＴ（Listen  Before  Talk）手続を行う、ように構成され得る。例えば、無線ノード１２は、ワイヤレス通信デバイス１０へ送信されるデータの肯定確認応答又は否定確認応答を送信する前に、肯定確認応答又は否定確認応答が送信されるべきキャリアが無線ノード１２により占有されなければならない場合に、ＬＢＴ（Listen  Before  Talk）手続を行う、ように構成されてもよい。データの肯定確認応答又は否定確認応答は、いくつかの実施形態において、ＰＨＩＣＨにより伝達されてもよい。他の実施形態において、それは、例えば上で説明したようなＰＤＣＣＨコマンド又はＵＬグラントの形式で、ＰＤＣＣＨ（Physical  Downlink  Control  Channel）上で伝達されてもよい。
【００８６】
少なくともいくつかの実施形態において、ワイヤレス通信デバイス１０は、機能的手段又はユニットを実装することなどにより上記処理を実装するように構成される１つ以上の処理回路を備える。１つの実施形態において、例えば、処理回路は、それぞれの回路として機能的手段又はユニットを実装する。この点において、それら回路は、メモリ１２０５と併せて、何らかの機能的処理の実行に専用の回路群、及び／又は１つ以上のマイクロプロセッサを含んでもよい。ＲＯＭ（read-only  memory）、ランダムアクセスメモリ、キャッシュメモリ、フラッシュメモリデバイス、光ストレージデバイスなどといった１つ又は複数のタイプのメモリを含み得るメモリを採用する実施形態において、メモリは、何らかの機能的処理の実行に専用の１つ以上の処理回路及び／又は１つ以上のマイクロプロセッサにより実行された場合に、ここで説明した技法を遂行するプログラムコード、を記憶する。
【００８７】
１つ以上の実施形態において、ワイヤレス通信デバイス１０は、１つ以上の通信インタフェースをも備える。１つ以上の通信インタフェースは、データ及び制御信号を送信し及び受信するための多様なコンポーネントを含む。より具体的には、典型的には１つ以上の標準に従って既知の信号処理技法を使用するように構成される送信機１２０３であって、信号を（例えば１つ以上のアンテナを介するエア上での）送信のために調整するように構成される送信機１２０３、を含む。同様に、上記インタフェースは、（例えばアンテナを介して）受信される信号を１つ以上の処理回路による処理のためのデジタルサンプルへ変換するように構成される受信機１２０４、を含む。
【００８８】
また、ネットワークノードは、例えば機能的手段又はユニットを介して、上述した任意の処理を実装するように構成される。
【００８９】
図１３は、ワイヤレス通信ネットワーク１内のネットワークノード１５を描いたブロック図である。ネットワークノード１５は、処理回路１３０１と、送信機１３０３及び受信機１３０４を伴う通信インタフェース１３０２とを備え得る。
【００９０】
ネットワークノード１５、処理回路１３０１、通信インタフェース１３０２及び／又は送信機１３０３は、ワイヤレス通信デバイス１０が無線ノード１２からデータについて肯定確認応答も否定確認応答も受信しない場合にワイヤレス通信デバイスが当該データの再送を差し控えるべきであることを指し示すシグナリングを、ワイヤレス通信デバイス１０へ送信する、ように構成され得る。
【００９１】
ネットワークノード１５及び／又は処理回路１３０１は、ワイヤレス通信デバイス１０が無線ノード１２からデータについて肯定確認応答も否定確認応答も受信しない場合にワイヤレス通信デバイス１０が当該データの再送を差し控えるべきであることを指し示すシグナリングを生成する、ように構成され得る。
【００９２】
ネットワークノード１５は無線ノード１２であってもよく、無線ノード１２は、ワイヤレス通信デバイス１０へデータを送信する前にＬＢＴ（Listen  Before  Talk）手続を行う、ように構成され得る。例えば、無線ノード１２は、ワイヤレス通信デバイス１０へデータの肯定確認応答又は否定確認応答を送信する前に、肯定確認応答又は否定確認応答が送信されるべきキャリアが無線ノード１２により占有されなければならない場合に、ＬＢＴ（Listen  Before  Talk）手続を行う、ように構成されてもよい。
【００９３】
ネットワークノード１５及び／又は処理回路１３０１は、ワイヤレス通信デバイスが無線ノード１２へのデータの送信について肯定確認応答も否定確認応答も受信しない場合にワイヤレス通信デバイス１０が当該データの再送を差し控えるべきであることを判定する、ように構成され得る。
【００９４】
ネットワークノード１５及び／又は処理回路１３０１は、ワイヤレス通信ネットワーク１内で蓄積される統計に基づいて上記判定を行う、ようにさらに構成され得る。
【００９５】
ネットワークノード１５及び／又は処理回路１３０１は、ワイヤレス通信デバイス、ネットワークノード、及び／又は、ワイヤレス通信デバイス１０によるデータの送信先である無線ノードでの干渉条件に基づいて、上記判定を行う、ようにさらに構成され得る。
【００９６】
データの肯定確認応答又は否定確認応答は、いくつかの実施形態において、ＰＨＩＣＨ（Physical  Hybrid  Automatic  Repeat  Request  Indicator  Channel）上で伝達されてもよい。他の実施形態において、それは、例えば上で説明したようなＰＤＣＣＨコマンド又はＵＬグラントの形式で、ＰＤＣＣＨ（Physical  Downlink  Control  Channel）上で伝達されてもよい。
【００９７】
少なくともいくつかの実施形態において、ネットワークノード１５は、機能的手段又はユニットを実装することなどにより上記処理を実装するように構成される１つ以上の処理回路を備える。１つの実施形態において、例えば、処理回路は、それぞれの回路として機能的手段又はユニットを実装する。この点において、それら回路は、メモリ１３０５と併せて、何らかの機能的処理の実行に専用の回路群、及び／又は１つ以上のマイクロプロセッサを含んでもよい。ＲＯＭ（read-only  memory）、ランダムアクセスメモリ、キャッシュメモリ、フラッシュメモリデバイス、光ストレージデバイスなどといった１つ又は複数のタイプのメモリを含み得るメモリを採用する実施形態において、メモリは、何らかの機能的処理の実行に専用の１つ以上の処理回路及び／又は１つ以上のマイクロプロセッサにより実行された場合に、ここで説明した技法を遂行するプログラムコード、を記憶する
。
【００９８】
１つ以上の実施形態において、ネットワークノード１５は、１つ以上の通信インタフェースをも備える。１つ以上の通信インタフェースは、データ及び制御信号を送信し及び受信するための多様なコンポーネント（図示せず）を含む。より具体的には、典型的には１つ以上の標準に従って既知の信号処理技法を使用するように構成される送信機１３０３であって、信号を（例えば１つ以上のアンテナを介するエア上での）送信のために調整するように構成される送信機１３０３、を含む。同様に、上記インタフェースは、（例えばアンテナを介して）受信される信号を１つ以上の処理回路による処理のためのデジタルサンプルへ変換するように構成される受信機１３０４、を含む。
【００９９】
＜コンピュータプログラムの実施形態＞
当業者は、ここでの実施形態がさらに対応するコンピュータプログラムを含むことを理解するであろう。
【０１００】
コンピュータプログラム１２０６、１３０６は、ネットワークノード１５又はワイヤレス通信デバイス１０の少なくとも１つのプロセッサ上で実行された場合に、ノード又はデバイスに上述したそれぞれの処理のいずれかを遂行させる命令、を含む。実施形態は、さらに、そうしたコンピュータプログラムを収容する担体を含む。その担体は、電子信号、光信号、無線信号、又は、ディスク若しくは類似のものなどのコンピュータ読取可能な記憶媒体１２０７、１３０７、のうちの１つを含み得る。
【０１０１】
この点でのコンピュータプログラムは、上述した手段又はユニットに対応する１つ以上のコードモジュールを含み得る。
【０１０２】
＜専門用語＞
いくつかの実施形態において、非限定的な用語であるユーザ機器（ＵＥ）が使用されており、それは、セルラー若しくはモバイル通信システムにおいて無線ネットワークノードとの間で通信する任意の種類のワイヤレスデバイスをいう。ワイヤレス通信デバイスあるいはＵＥの例は、ターゲットデバイス、Ｄ２Ｄ（device  to  device）ＵＥ、マシンタイプＵＥ若しくはＭ２Ｍ（machine  to  machine）通信可能なＵＥ、ＰＤＡ、ｉＰＡＤ、タブレット、モバイル端末、スマートフォン、ＬＥＥ（laptop  embedded  equipped）、ＬＭＥ（laptop  mounted  equipment）、ＵＳＢドングルなどである。
【０１０３】
いくつかの実施形態において、非限定的な用語である無線ネットワークノード又は単にネットワークノード１５が使用されており、それは、任意の種類の、ＵＥへサービスし及び／若しくは他のネットワークノードへ接続されるネットワークノード、又は、ＵＥによる信号の受信元のネットワークエレメント若しくは任意の無線ノードをいう。無線ネットワークノードの例は、ＮｏｄｅＢ、基地局（ＢＳ）、ＭＳＲ  ＢＳなどのマルチ標準無線（ＭＳＲ）無線ノード、ｅＮｏｄｅＢ、ネットワークコントローラ、無線ネットワークコントローラ（ＲＮＣ）、基地局コントローラ（ＢＳＣ）、リレー、リレーを制御するドナーノード、基地送受信局（ＢＴＳ）、アクセスポイント（ＡＰ）、送信ポイント、送信ノード、ＲＲＵ、ＲＲＨ、分散アンテナシステム（ＤＡＳ）内のノードなどである。
【０１０４】
通信の設計に詳しい者により容易に理解されるように、機能手段又はモジュールは、デジタルロジック、及び／若しくは１つ以上のマイクロコントローラ、マイクロプロセッサ又は他のデジタルハードウェアを用いて実装されてよい。いくつかの実施形態において、多様な機能のいくつか又は全てが、単一のＡＳＩＣ（application-specific  integrated  circuit）などで共に実装されてもよく、又は、適切なハードウェアインタフェース及び／若しくはソフトウェアインタフェースを間に有する２つ以上の別個のデバイスで実装されてもよい。機能のいくつかは、例えば無線ネットワークノードの他の機能コンポーネントと共有されるプロセッサ上で実装されてもよい。
【０１０５】
代替的に、議論した処理手段の機能的要素のいくつかが専用のハードウェアの使用を通じて提供され、一方で他の要素が適切なソフトウェア又はファームウェアに関連付けられるソフトウェアを実行するためのハードウェアと共に提供されてもよい。よって、“プロセッサ”又は“コントローラ”との用語は、ここで使用されるところによれば、ソフトウェアを実行可能なハードウェアへ排他的に言及するものではなく、限定無しで、ＤＳＰ（digital  signal  processor）ハードウェア、ソフトウェア記憶用のＲＯＭ（read-only  memory）、ソフトウェア記憶用のランダムアクセスメモリ、及び／又は、プログラム若しくはアプリケーションデータ、並びに、不揮発性メモリを暗に含み得る。型通りのものであれ及び／又はカスタムであれ、他のハードウェアが包含されてもよい。通信受信機の設計者は、それら設計上の選択に内在するコスト、性能及びメンテナンスのトレードオフを理解するであろう。
【０１０６】
前述の説明及び添付図面はここで教示された方法及び装置の非限定的な例を表していることが理解されるであろう。そのため、ここで教示された本発明の装置及び技法は、前述の説明及び添付図面によっては限定されない。代わりに、ここでの実施形態は、以下の特許請求の範囲及びそれらの法的な均等物によってのみ限定される。 
【図１】
2020188465.tif 000003
【図２】
2020188465.tif 000004
【図３】
2020188465.tif 000005
【図４】
2020188465.tif 000006
【図５】
2020188465.tif 000007
【図６】
2020188465.tif 000008
【図７】
2020188465.tif 000009
【図８】
2020188465.tif 000010
【図９ａ】
2020188465.tif 000011
【図９ｂ】
2020188465.tif 000012
【図１０】
2020188465.tif 000013
【図１１】
2020188465.tif 000014
【図１２】
2020188465.tif 000015
【図１３】
2020188465.tif 000016
【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
ワイヤレス通信デバイス（１０）により実行される方法であって、
前記ワイヤレス通信デバイス（１０）によるデータ送信に対するハイブリッド自動再送要求（ＨＡＲＱ）フィードバックが物理下り制御チャネル（ＰＤＣＣＨ）上で伝達されることを示す無線リソース制御（ＲＲＣ）シグナリングを受信すること（１０００）と、
ワイヤレス通信ネットワーク（１）の無線ノード（１２）へアップリンク（ＵＬ）でデータを送信すること（１００１）であって、前記ワイヤレス通信デバイス（１０）は、前記無線ノード（１２）から、前記送信されたデータの肯定確認応答又は否定確認応答の形式のＨＡＲＱフィードバックの送信を受信するように構成される、送信することと、
ＮＤＩ（New Data Indicator）を伴うＵＬグラントを前記ＰＤＣＣＨ上で受信するまで前記データを再送せずに、前記無線ノード（１２）から前記送信されたデータの前記肯定確認応答又は前記否定確認応答の形式の前記ＨＡＲＱフィードバックの前記送信についてモニタすること（１００２）と、
前記ＮＤＩを伴う前記受信されたＵＬグラントが前記送信されたデータの前記否定確認応答の受信を示す場合に、前記ＵＬグラントの受信に応答して前記無線ノード（１２）へ前記データを再送すること（１００３）と、
前記ＮＤＩを伴う前記受信されたＵＬグラントが前記送信されたデータの前記肯定確認応答の受信を示す場合に、前記ＵＬグラントの受信に応答して前記無線ノード（１２）へ新たなデータを送信することと、
を含み、
前記送信されたデータの前記肯定確認応答は切り替えられた前記ＮＤＩを伴う前記ＵＬグラントによって示され、前記送信されたデータの前記否定確認応答は未切り換えの前記ＮＤＩを伴う前記ＵＬグラントによって示される、方法。
【請求項２】
前記送信すること（１００１）は、未ライセンススペクトル上で又は非同期プロトコル上で前記無線ノード（１２）へ前記データを送信すること、を含む、請求項１に記載の方法。
【請求項３】
前記ＮＤＩを伴う前記ＵＬグラントを受信するまで前記データを再送せずに前記モニタすること（１００２）は、前記データが未ライセンススペクトル上で送信される場合に行われる、請求項１または２に記載の方法。
【請求項４】
前記ＮＤＩを伴う前記ＵＬグラントを受信するまで前記データを再送せずに前記モニタすること（１００２）は、前記データが第１のタイプの無線アクセス上で送信される場合に行われ、前記データが、前記第１のタイプの無線アクセスと異なる第２のタイプの無線アクセス上で送信される場合に行われない、請求項１乃至３のいずれか一項に記載の方法。
【請求項５】
前記ＮＤＩを伴う前記ＵＬグラントを受信するまで前記データを再送せずに前記モニタすること（１００２）は、前記データが第１のタイプの場合に行われ、前記データが前記第１のタイプと異なる第２のタイプの場合は行われず、
前記第１のタイプのデータは、前記第２のタイプのデータと比べてより低い品質のサービス分類を有するかより低い遅延感受性を有する、請求項１乃至４のいずれか一項に記載の方法。
【請求項６】
前記無線ノード（１２）は、前記ワイヤレス通信デバイス（１０）へ前記送信されたデータの前記肯定確認応答又は前記否定確認応答を送信する前に、前記肯定確認応答又は前記否定確認応答が送信されるキャリアが前記無線ノード（１２）により占有されなければならない場合、ＬＢＴ（Listen  Before  Talk）手続を行うように構成される、請求項１乃至５のいずれか一項に記載の方法。
【請求項７】
ワイヤレス通信ネットワーク（１）のネットワークノード（１５）により実行される方法であって、
ワイヤレス通信デバイス（１０）によるデータ送信に対するハイブリッド自動再送要求（ＨＡＲＱ）フィードバックが物理下り制御チャネル（ＰＤＣＣＨ）上で伝達されることを示す無線リソース制御（ＲＲＣ）シグナリングを前記ワイヤレス通信デバイス（１０）へ送信すること（１１０３）であって、前記ＨＡＲＱフィードバックは、前記ＰＤＣＣＨ上でＮＤＩ（New Data Indicator）を伴うアップリンク（ＵＬ）グラントの形式の、前記データ送信に対する肯定確認応答又は否定確認応答を含み、前記データ送信の前記肯定確認応答は切り替えられた前記ＮＤＩを伴う前記ＵＬグラントによって示され、前記データ送信の前記否定確認応答は未切換の前記ＮＤＩを伴う前記ＵＬグラントにより示される、方法。
【請求項８】
前記ワイヤレス通信デバイス（１０）による前記データ送信に対する前記ＨＡＲＱフィードバックは、前記ＰＤＣＣＨ上で伝達されることを示す前記ＲＲＣシグナリングを生成すること（１１０２）をさらに含む請求項７に記載の方法。
【請求項９】
前記ワイヤレス通信デバイス（１０）が前記データを送信する先の無線ノード（１２）は、前記ワイヤレス通信デバイス（１０）へ前記データ送信の前記肯定確認応答又は前記否定確認応答を送信する前に、前記肯定確認応答又は前記否定確認応答が送信されるキャリアが前記無線ノード（１２）により占有されなければならない場合に、ＬＢＴ（Listen  Before  Talk）手続を行うように構成される請求項７又は８に記載の方法。
【請求項１０】
前記ワイヤレス通信デバイス（１０）による前記データ送信に対するＨＡＲＱフィードバックはＰＤＣＣＨ上で伝達されることを判定すること（１１０１）をさらに含む請求項７乃至９のいずれか１項に記載の方法。
【請求項１１】
前記判定は、前記ワイヤレス通信ネットワーク（１）内で蓄積される統計に基づいて前記判定を行うことを含む請求項１０に記載の方法。
【請求項１２】
前記判定は、前記ワイヤレス通信デバイス（１０）、前記ネットワークノード（１５）、及び／又は前記ワイヤレス通信デバイス（１０）が前記データを送信する先の無線ノード（１２）、での干渉条件に基づいて前記判定を行うことを含む請求項１０に記載の方法。
【請求項１３】
ワイヤレス通信デバイス（１０）は、
前記ワイヤレス通信デバイス（１０）によるデータ送信に対するハイブリッド自動再送要求（ＨＡＲＱ）フィードバックが物理下り制御チャネル（ＰＤＣＣＨ）上で伝達されることを示す無線リソース制御（ＲＲＣ）シグナリングを受信し、
ワイヤレス通信ネットワーク（１）の無線ノード（１２）へアップリンク（ＵＬ）でデータを送信し、前記ワイヤレス通信デバイス（１０）は、前記無線ノード（１２）から、前記送信されたデータの肯定確認応答又は否定確認応答の形式のＨＡＲＱフィードバックの送信を受信するように構成され、
ＮＤＩ（New Data Indicator）を伴うＵＬグラントを、前記ＰＤＣＣＨ上で受信するまで前記データを再送せずに、前記無線ノード（１２）から前記送信されたデータの前記肯定確認応答又は前記否定確認応答の形式のＨＡＲＱフィードバックの前記送信についてモニタするように構成され、
前記ワイヤレス通信デバイス（１０）はさらに、
前記ＮＤＩを伴う前記受信されたＵＬグラントが前記送信されたデータの前記否定確認応答の受信を示す場合に、前記ＵＬグラントの受信に応答して前記無線ノード（１２）へ前記データを再送し、
前記ＮＤＩを伴う前記受信されたＵＬグラントが前記送信されたデータの前記肯定確認応答の受信を示す場合に、前記ＵＬグラントの受信に応答して前記無線ノード（１２）へ新たなデータを送信するように構成されており、
前記送信されたデータの前記肯定確認応答は切り替えられた前記ＮＤＩを伴う前記ＵＬグラントによって示され、前記送信されたデータの前記否定確認応答は未切り換えの前記ＮＤＩを伴う前記ＵＬグラントによって示される、
ワイヤレス通信デバイス（１０）。
【請求項１４】
未ライセンススペクトル上で又は非同期プロトコル上で前記無線ノード（１２）へ前記データを送信するように構成される、請求項１３に記載のワイヤレス通信デバイス（１０）。
【請求項１５】
前記データが未ライセンススペクトル上で送信される場合は、前記ＮＤＩを伴う前記ＵＬグラントを受信するまで、前記データを再送せずに前記ＨＡＲＱフィードバックの前記送信をモニタするように構成される、請求項１３または１４に記載のワイヤレス通信デバイス（１０）。
【請求項１６】
前記データが第１のタイプの無線アクセス上で送信される場合は、前記ＮＤＩを伴う前記ＵＬグラントを受信するまで前記データを再送せずにＨＡＲＱフィードバックの前記送信をモニタし、前記データが前記第１のタイプの無線アクセスと異なる第２のタイプの無線アクセス上で送信される場合はモニタをしないように構成される請求項１３乃至１５のいずれか一項に記載のワイヤレス通信デバイス（１０）。
【請求項１７】
前記データが第１のタイプの場合、ワイヤレス通信デバイス（１０）は、前記ＮＤＩを伴う前記ＵＬグラントを受信するまで、前記データを再送せずにＨＡＲＱフィードバックの前記送信をモニタし、前記データが前記第１のタイプと異なる第２のタイプの場合はモニタをしないように構成され、前記第１のタイプのデータは、前記第２のタイプのデータと比べてより低い品質のサービス分類を有するかより低い遅延感受性を有する、請求項１３乃至１６のいずれか一項に記載のワイヤレス通信デバイス（１０）。
【請求項１８】
前記無線ノード（１２）は、前記ワイヤレス通信デバイス（１０）へ前記送信されたデータの前記肯定確認応答又は前記否定確認応答を送信する前に、前記肯定確認応答又は前記否定確認応答が送信されるキャリアが前記無線ノード（１２）により占有されなければならない場合に、ＬＢＴ（Listen  Before  Talk）手続を行うように構成される、請求項１３乃至１７のいずれか一項に記載のワイヤレス通信デバイス（１０）。
【請求項１９】
ワイヤレス通信ネットワーク（１）のためのネットワークノード（１５）であって、
前記ネットワークノード（１５）は、
ワイヤレス通信デバイス（１０）によるデータ送信に対するハイブリッド自動再送要求（ＨＡＲＱ）フィードバックが物理下り制御チャネル（ＰＤＣＣＨ）上で伝達されることを示す無線リソース制御（ＲＲＣ）シグナリングを前記ワイヤレス通信デバイス（１０）へ送信するように構成され、
前記ＨＡＲＱフィードバックは、前記ＰＤＣＣＨ上でＮＤＩ（New DataIndicator）を伴うアップリンク（ＵＬ）グラントの形式の、前記データ送信に対する肯定確認応答又は否定確認応答を含み、
前記データ送信の前記肯定確認応答は切り替えられた前記ＮＤＩを伴う前記ＵＬグラントによって示され、前記データ送信の前記否定確認応答は未切り換えの前記ＮＤＩを伴う前記ＵＬグラントによって示される、ネットワークノード（１５）。
【請求項２０】
前記ワイヤレス通信デバイス（１０）による前記データ送信に対する前記ＨＡＲＱフィードバックは、前記ＰＤＣＣＨ上で伝達されることを示す前記ＲＲＣシグナリングを生成するように、さらに構成される請求項１９に記載のネットワークノード（１５）。
【請求項２１】
前記ワイヤレス通信デバイス（１０）が前記データを送信する先の無線ノード（１２）は、前記ワイヤレス通信デバイス（１０）へ前記データ送信の前記肯定確認応答又は前記否定確認応答を送信する前に、前記肯定確認応答又は前記否定確認応答が送信されるキャリアが前記無線ノード（１２）により占有されなければならない場合に、ＬＢＴ（Listen  Before  Talk）手続を行うように構成される、請求項１９又は２０に記載のネットワークノード（１５）。
【請求項２２】
前記ワイヤレス通信デバイス（１０）による前記データ送信に対するＨＡＲＱフィードバックはＰＤＣＣＨ上で伝達されることを判定するようにさらに構成された請求項１９乃至２１のいずれか１項に記載のネットワークノード（１５）。
【請求項２３】
前記ワイヤレス通信ネットワーク（１）内で蓄積される統計に基づいて前記判定を行うようにさらに構成される請求項２２に記載のネットワークノード（１５）。
【請求項２４】
前記ワイヤレス通信デバイス（１０）、前記ネットワークノード（１５）、及び／又は前記ワイヤレス通信デバイス（１０）が前記データを送信する先の無線ノード（１２）、での干渉条件に基づいて前記判定を行うようにさらに構成される請求項２２に記載のネットワークノード。
【外国語明細書】
2020188465000001.pdf